(57)【要約】【課題】人体等の被検体の血管における血流量測定システムにおいて、血流量プローブから表示器への信号の伝送を無線通信で行うことにより、手術室の床に血流量プローブから表示器への信号伝送用ケーブルが散乱しないようにする。【解決手段】被検体の血管の血流量を計測して電気信号に変換する血流量プローブ１０と、該血流量プローブ１０により計測された血流量を表示する携帯端末４１とを備え、血流量プローブ１０から携帯端末４１への血流量データの伝送を無線通信にて行う。【選択図】図２
2019208895.tif 000002
【特許請求の範囲】
【請求項１】
被検体の血管の血流量を計測して電気信号に変換する血流量プローブと、
該血流量プローブにより計測された血流量を表示する表示器とを備え、
前記血流量プローブから前記表示器への血流量データの伝送を無線通信にて行う
血流量測定システム。
【請求項２】
請求項１において、
前記血流量プローブは、血流量を表すデータの一部を表示するモニタを備える
血流量測定システム。
【請求項３】
請求項１において、
前記血流量プローブは、被検体の体内に一定期間だけ埋設して固定される
血流量測定システム。
【発明の詳細な説明】
【技術分野】
【０００１】
本発明は、人体等の被検体の血管における血流量測定システムに関する。
【背景技術】
【０００２】
例えば、心臓手術では、患者（被検体）の血管の血流量を確認することが必須とされている。そのため、血流量プローブにより血流量を計測し、その計測結果を医師に向けて表示している。この計測、表示に使用するための測定装置が特許文献１に開示されている。
【先行技術文献】
【特許文献】
【０００３】
【特許文献１】特許第２９１５３４３号公報
【発明の概要】
【発明が解決しようとする課題】
【０００４】
しかし、血流量プローブと表示器との間は、信号伝送用ケーブルにより接続されている。そのため、手術室の床には、患者の血管に沿って保持された血流量プローブから手術室内に設置された表示器に向かうケーブルが散乱することになり、効率的な手術の進行を妨げる可能性がある。
【０００５】
本発明の課題は、人体等の被検体の血管における血流量測定システムにおいて、血流量プローブから表示器への信号の伝送を無線通信で行うことにより、手術室の床等に血流量プローブから表示器への信号伝送用ケーブルが散乱しないようにする。
【課題を解決するための手段】
【０００６】
第１発明の血流量測定システムは、被検体の血管の血流量を計測して電気信号に変換する血流量プローブと、該血流量プローブにより計測された血流量を表示する表示器とを備え、前記血流量プローブから前記表示器への血流量データの伝送を無線通信にて行う。
【０００７】
第１発明によれば、血流量プローブから表示器への信号の伝送を無線通信で行うため、血流量プローブから表示器へ信号を伝送する信号伝送用ケーブルが不要となり、手術室、検査室の床等に信号伝送用ケーブルが散乱しないようにすることができる。
【０００８】
第２発明は、上記第１発明において、前記血流量プローブは、血流量を表すデータの一部を表示するモニタを備える。
【０００９】
第２発明によれば、血流量プローブに備えるモニタに血流量を表すデータの一部が表示されるため、手術を行う医師は、表示器を見るまでもなく概略の血流量、心電データ等、又はその変化等を手元にある血流量プローブのモニタにより容易に確認することができる。そのため、医師は、血流量を確認するために表示器に視線を移す回数が抑制され、より手術に集中することができる。
【００１０】
第３発明は、上記第１発明において、前記血流量プローブは、被検体の体内に一定期間だけ埋設して固定される。
【００１１】
第３発明によれば、被検体の体内に埋設された血流量プローブにより手術後の血流量、心電図等を継続的に測定することができる。
【図面の簡単な説明】
【００１２】
【図１】本発明の第１実施形態のシステム構成概略図である。
【図２】第１実施形態の第１の具体例を示すシステム構成図である。
【図３】第１実施形態の第２の具体例を示すシステム構成図である。
【図４】本発明の第２実施形態のシステム構成概略図である。
【図５】第２実施形態の第１の具体例を示すシステム構成図である。
【図６】第２実施形態の第２の具体例を示すシステム構成図である。
【図７】本発明の第３実施形態のシステム構成概略図である。
【図８】第３実施形態の第１の具体例を示すシステム構成図である。
【図９】第３実施形態の第２の具体例における血流量プローブの主要部を示す拡大斜視図である。
【図１０】図９と同様の血流量プローブの拡大斜視図であり、血管に装着された状態を示す。
【発明を実施するための形態】
【００１３】
＜第１実施形態の構成＞
図１は、本発明の第１実施形態を示す。第１実施形態は、手術中の患者（被検体）の血管の血流量を計測して電気信号に変換する血流量プローブ１０と、血流量プローブ１０により計測された血流量を手術中の医師に向けて表示する表示器４０とを備える。そして、血流量プローブ１０から表示器４０への血流量データの伝送を無線通信にて行っている。そのため、図１では図示を省略したが、血流量プローブ１０には送信器を備え、表示器４０には受信器を備える。この場合の無線通信は、手術室内で行われるため、Ｂｌｕｅｔｏｏｔｈ（登録商標）等の近距離通信が採用される。
【００１４】
＜第１実施形態の第１の具体例の構成＞
図２は、第１実施形態の第１の具体例を示す。血流量プローブ１０は、特許文献１に開示されているトランジットタイム方式のものであり、先端部にあるヘッド１１と反射板１１ａとの間に患者の血管Ｖを挟んで血流量が計測される。ここでは、血流量プローブ１０が透視図として示されており、ヘッド１１と反対側の端部には、近距離通信用の送信器１３が内蔵され、送信器１３よりヘッド１１側には、血流量プローブ１０の電源となるバッテリ１２が内蔵されている。従って、血流量プローブ１０は、患者の血管Ｖの血流量データが送信器１３から送信される。
【００１５】
図２のように、第１の具体例では、表示器４０として、スマートフォン、タブレット端末等である携帯端末４１が用いられている。携帯端末４１は、標準機能として近距離通信を可能とする送受信器（図示略）を内蔵している。そのため、携帯端末４１は、送信器１３から送信された血流量データを受け取り、画面にて血流量表示を行う。
【００１６】
表示器４０として携帯端末４１の他に固定式表示器４２を備える。固定式表示器４２は、無線ＬＡＮを通じて携帯端末４１の血流量情報を共有可能としている。固定式表示器４２では、血流量が、別に計測された心電図、体温、血圧、心拍数等と共に表示されてもよい。表示器４０として携帯端末４１と固定式表示器４２の両方を備えることは必須ではなく、いずれか一方のみでもよい。また、無線ＬＡＮを通じて相互通信可能なように、携帯端末４１と固定式表示器４２が場所を変えて複数台設置されてもよい。更に、送信器１３に無線ＬＡＮとの通信機能を持たせて、携帯端末４１を介することなく送信器１３から直接無線ＬＡＮを介して固定式表示器４２に通信可能としてもよい。
【００１７】
＜第１実施形態の第２の具体例の構成＞
図３は、第１実施形態の第２の具体例を示す。第１実施形態の第２の具体例が上記第１の具体例に対して特徴とする点は、血流量プローブ１０として、特許文献１に開示されているトランジットタイム方式のものとし、送信器１３を備えない一般的なものとした点、並びに血流量プローブ１０の出力は、コード１５を介して送信器１４に接続されている点である。その他の点は、第１実施形態の第２の具体例においても上記第１の具体例と同一であり、同一部分には同一符号を付して再度の説明は省略する。
【００１８】
送信器１４は、手術台に固定可能とされており、コード１５は、手術台に固定された送信器１４と血流量プローブ１０とを接続する程度の長さとされている。従って、コード１５が手術室の床に散乱することはない。送信器１４は、送信器１３と同様、近距離通信用のものであり、第１の具体例と同様、携帯端末４１との間で近距離通信可能とされている。
【００１９】
＜第１実施形態の作用、効果＞
血流量プローブ１０から表示器４０への信号の伝送を無線通信で行うため、血流量プローブ１０から表示器４０へ信号を伝送する信号伝送用ケーブルが不要となり、手術室の床に信号伝送用ケーブルが散乱しないようにすることができる。表示器４０を携帯端末４１とした場合は、手術を実施している医師、若しくは補助者が見やすい状態で血流量を監視することができる。また、必要に応じて固定式表示器４２で表示を行うこともできる。
【００２０】
＜第２実施形態の構成＞
図４は、本発明の第２実施形態を示す。第２実施形態が第１実施形態に対して特徴とする点は、血流量プローブ１０に血流量を表すデータの一部を表示するモニタ４３を備える点である。また、モニタ４３において表示を行うため、血流量プローブ１０は送受信を可能とする送受信器を備え、表示器４０も送受信を可能とする送受信器を備える。その他の点は、第２実施形態においても第１実施形態と同一であり、同一部分には同一符号を付して再度の説明は省略する。
【００２１】
モニタ４３は、表示器４０で行う表示内容の一部を、表示器４０から表示器４０の送受信器及び血流量プローブ１０の送受信器を介して受けて表示する。
【００２２】
＜第２実施形態の第１の具体例の構成＞
図５は、第２実施形態の第１の具体例を示す。この場合の血流量プローブ１０は、第１実施形態の第１の具体例の血流量プローブ１０と基本的には同一であるが、血流量プローブ１０を取り扱う医師にとって見易い位置に液晶式のモニタ４３を追加したことと、送信器１３を送受信が可能な送受信器１７に変更した点で相違する。携帯端末４１及び固定式表示器４２の構成、作用は、第１実施形態の第１の具体例の場合と同様である。
【００２３】
モニタ４３は、携帯端末４１で行う表示内容の一部を、携帯端末４１から携帯端末４１内蔵の送受信器及び血流量プローブ１０の送受信器１７を介して受けて表示する。
【００２４】
＜第２実施形態の第２の具体例の構成＞
図６は、第２実施形態の第２の具体例を示す。この場合、第１実施形態の第２の具体例（図３参照）に対し、送信器１４が送受信器１８に変更されているが、その他の点は両者同一である。
【００２５】
送受信器１８は、第２実施形態の第１の具体例（図５参照）と同様に、モニタ４３を備える。モニタ４３は、携帯端末４１で行う表示内容の一部を、携帯端末４１から送受信器１８を介して受けて表示する。
【００２６】
＜第２実施形態の作用、効果＞
血流量プローブ１０に備えるモニタ４３に血流量を表すデータの一部が表示されるため、手術を行う医師は、携帯端末４１や固定式表示器４２を見るまでもなく概略の血流量、心電データ等、又はその変化等を手元にある血流量プローブ１０のモニタ４３により容易に確認することができる。そのため、医師は、血流量を確認するために携帯端末４１や固定式表示器４２に視線を移す回数が抑制され、より手術に集中することができる。
【００２７】
＜第３実施形態の構成＞
図７は、本発明の第３実施形態を示す。第３実施形態が第１実施形態に対して特徴とする点は、血流量プローブ１０を血流量プローブ２０とし、これを被検体Ｐの体内に埋設可能とした点である。その他の点は、第３実施形態においても第１実施形態と同一であり、同一部分には同一符号を付して再度の説明は省略する。
【００２８】
＜第３実施形態の第１の具体例の構成＞
図８は、第３実施形態の第１の具体例を示す。血流量プローブ２０は、血流量プローブ本体２１と送信器２７がコード２６により電気的に接続されて構成されている。血流量プローブ２０は、基本的な機能が第１実施形態の血流量プローブ１０（図２参照）と同一とされている。血流量プローブ本体２１は、トランジットタイム方式のものであり、反射板２１ａとの間に患者の体内で血管Ｖを挟んで血流量を計測する。また、送信器２７は、血流量プローブ２０の電源となるバッテリ２８と共にケーシング２９内に収容されている。ケーシング２９は、生体適合性と電波の伝搬性を備えた素材、例えばポリプロピレン、シリコン等により構成されている。血流量プローブ２０を構成する各部品は、被検体内に適宜手段により固定されている。
【００２９】
＜第３実施形態の第２の具体例の構成＞
図９、１０は、第３実施形態の第２の具体例を示す。第３実施形態の第２の具体例が第３実施形態の第１の具体例（図８参照）に対して特徴とする点は、血流量プローブ２０の血流量プローブ本体２１を血流量プローブ本体２２に変更した点のみである。その他の点は、両者同一であり、同一部分の説明、図示は省略した。
【００３０】
血流量プローブ本体２２は、血流量プローブ本体２１と同様、トランジットタイム方式のものであり、蓋２３を被せることにより、血流量プローブ本体２２上に被検体の血管Ｖを挟んで血流量を計測するように構成されている。計測信号は、コネクタ２２ａを介してコード２６に伝達されている（図８参照）。蓋２３は、血流量プローブ本体２２に被せた状態で、ネジ２５により固定されており、そのネジ２５の一部が心電図用電極２４とされている。つまり、血流量プローブ本体２２は、心電信号も併せて検出可能としている。
【００３１】
＜第３実施形態の作用、効果＞
被検体Ｐの体内に埋設された血流量プローブ２０により手術後一定期間の血流量、心電図を継続的に測定することができる。
【００３２】
＜その他の実施形態＞
以上、特定の実施形態について説明したが、本発明は、それらの外観、構成に限定されず、種々の変更、追加、削除が可能である。例えば、本発明の血流量測定システムは、人体のみでなく他の動物の血管に対しても適用可能である。また、心臓の血管のみならず、他の臓器や体内の血管に対して適用可能である。
【符号の説明】
【００３３】
１０、２０  血流量プローブ
１１    ヘッド
１１ａ、２１ａ  反射板
１２、２８  バッテリ
１３、１４、２７  送信器
１５、２６  コード
１７、１８  送受信器
２１、２２  血流量プローブ本体
２２ａ  コネクタ
２３    蓋
２４    電極
２５    ネジ
２９    ケーシング
４０    表示器
４１    携帯端末
４２    固定式表示器
４３    モニタ
Ｐ      被検体
Ｖ      血管
【図１】
2019208895.tif 000003
【図２】
2019208895.tif 000004
【図３】
2019208895.tif 000005
【図４】
2019208895.tif 000006
【図５】
2019208895.tif 000007
【図６】
2019208895.tif 000008
【図７】
2019208895.tif 000009
【図８】
2019208895.tif 000010
【図９】
2019208895.tif 000011
【図１０】
2019208895.tif 000012
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
被検体の血管の血流量を計測して電気信号に変換する血流量プローブと、
該血流量プローブにより計測された血流量を表示する表示器とを備え、
前記血流量プローブから前記表示器への血流量データの伝送を無線通信にて行い、
前記血流量プローブは、前記表示器にて表示される血流量を表すデータの内の一部を表示するモニタを備え、
前記表示器から前記血流量プローブへの血流量を表すデータの一部の伝送を無線通信にて行う
血流量測定システム。
【請求項２】
被検体の血管の血流量を計測して電気信号に変換する血流量プローブと、
該血流量プローブにより計測された血流量を表示する表示器とを備え、
前記血流量プローブは、
被検体の血管に装着されて血流量を計測する血流量プローブ本体と、
該血流量プローブ本体からの電気信号を受けて前記表示器へ血流量データの伝送を無線通信にて行う送信機と、
前記血流量プローブ本体及び前記送信機に電源を供給するバッテリと、
を備え、
前記血流量プローブは、前記血流量プローブ本体と前記送信機とがコードを介して接続され、前記送信機及び前記バッテリがケーシング内に収容された状態で被検体の体内に一定期間だけ埋設して固定される
血流量測定システム。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
被検体の血管の血流量を計測して電気信号に変換する血流量プローブと、
該血流量プローブにより計測された血流量を表示する表示器とを備え、
前記血流量プローブから前記表示器への血流量データの伝送を無線通信にて行い、
前記血流量プローブは、前記表示器にて表示される血流量を表すデータの内の一部を表示するモニタを備え、
前記表示器から前記血流量プローブへの血流量を表すデータの一部の伝送を無線通信にて行う
血流量測定システム。